(57)【要約】【課題】コンクリート部品の相互連結を簡単且つ良好に行える連結器を提供する。【解決手段】雄ねじ部１ａを外面に有し、連結ロッドＣＲ１の雄ねじ部ＥＴ１に螺合可能な雌ねじ穴１ｂを一端から他端に向けて有する雄カプラー１と、雄カプラー１の外面雄ねじ部１ａに螺合可能な雌ねじ穴２ａを一端から他端に向けて有し、連結ロッドＣＲ２の雄ねじ部ＥＴ２が遊びをもって挿通可能な挿通孔２ｂを他端から雌ねじ穴２ａに向けて有し、雌ねじ穴２ａと挿通孔２ｂとの境界部分に係止部２ｃを有する雌カプラー２と、雌カプラー２を挿通孔２ｂを通じて連結ロッドＣＲ２の雄ねじ部ＥＴ２に外嵌した後に連結ロッドＣＲ２の雄ねじ部ＥＴ２に螺合されて雌カプラー２の移動を係止部２ｃとの協働によって制限し得る制限ナット３とを備える。【選択図】　図６
2004036276.tif 000002
【特許請求の範囲】
【請求項１】
連結ロッドがその先端の雄ねじ部が露出するように埋設されたコンクリート部品を相互連結するときに用いられる連結器であって、
雄ねじ部を外面に有し、連結ロッドの雄ねじ部に螺合可能な雌ねじ穴を一端から他端に向けて有する雄カプラーと、
雄カプラーの外面雄ねじ部に螺合可能な雌ねじ穴を一端から他端に向けて有し、連結ロッドの雄ねじ部が遊びをもって挿通可能な挿通孔を他端から雌ねじ穴に達するように有し、雌ねじ穴と挿通孔との境界部分に係止部を有する雌カプラーと、
外面からその雌ねじ孔に達する孔を少なくとも１つ有し、雌カプラーをその挿通孔を通じて連結ロッドの雄ねじ部に外嵌した後に連結ロッドの雄ねじ部に螺合されて雌カプラーの移動を係止部との協働によって制限し得る制限ナットと、
制限ナットを連結ロッドの雄ねじ部に螺合した後に制限ナットの孔に差し込まれて制限ナットを連結ロッドの雄ねじ部に固定するナット固定具とを備える、
ことを特徴とする連結器。
【請求項２】
制限ナットの孔は雌ねじ孔であり、ナット固定具はこの雌ねじ孔に螺入可能な止めねじである、
ことを特徴とする請求項１に記載の連結器。
【請求項３】
制限ナットの孔は貫通孔であり、ナット固定具はこの貫通孔に圧入可能な圧入ピンである、
ことを特徴とする請求項１に記載の連結器。
【請求項４】
雌カプラーには、外面から雌ねじ穴に達する貫通孔が少なくとも１つ形成されている、
ことを特徴とする請求項１〜３の何れか１項に記載の連結器。
【請求項５】
連結面と連結面と隣接する面に開口を有する凹部と、先端の雄ねじ部が凹部内で露出するように部品内部に埋設された連結ロッドとを有するコンクリート部品と、
コンクリート部品を連結面を介して組み合わせた状態で相対する連結ロッドに引き寄せ力を付与してコンクリート部品を相互連結する連結器とを備え、
前記連結器は、雄ねじ部を外面に有し、連結ロッドの雄ねじ部に螺合可能な雌ねじ穴を一端から他端に向けて有する雄カプラーと、雄カプラーの外面雄ねじ部に螺合可能な雌ねじ穴を一端から他端に向けて有し、連結ロッドの雄ねじ部が遊びをもって挿通可能な挿通孔を他端から雌ねじ穴に達するように有し、雌ねじ穴と挿通孔との境界部分に係止部を有する雌カプラーと、外面からその雌ねじ孔に達する孔を少なくとも１つ有し、雌カプラーをその挿通孔を通じて連結ロッドの雄ねじ部に外嵌した後に連結ロッドの雄ねじ部に螺合されて雌カプラーの移動を係止部との協働によって制限し得る制限ナットと、制限ナットを連結ロッドの雄ねじ部に螺合した後に制限ナットの孔に差し込まれて制限ナットを連結ロッドの雄ねじ部に固定するナット固定具とから成り、
この連結器の雄カプラーは一方のコンクリート部品の凹部内の雄ねじ部に雌ねじ穴を螺合することにより取り付けられ、雌カプラーは他方のコンクリート部品の凹部内の雄ねじ部にその挿通孔を通じて外嵌し外嵌後に雄ねじ部に制限ナットを螺合することにより取り付けられ、制限ナットはナット固定具により雄ねじ部に固定されていて、コンクリート部品相互の連結面を組み合わせた状態で雌カプラーを雄カプラーに螺合することによって相対する連結ロッドに引き寄せ力を付与してコンクリート部品を相互連結している、
ことを特徴とする連結構造体。
【請求項６】
制限ナットの孔は雌ねじ孔であり、ナット固定具はこの雌ねじ孔に螺入可能な止めねじである、
ことを特徴とする請求項５に記載の連結構造体。
【請求項７】
制限ナットの孔は貫通孔であり、ナット固定具はこの貫通孔に圧入可能な圧入ピンである、
ことを特徴とする請求項５に記載の連結構造体。
【請求項８】
雌カプラーには、外面から雌ねじ穴に達する貫通孔が少なくとも１つ形成されている、
ことを特徴とする請求項５〜７の何れか１項に記載の連結構造体。
【発明の詳細な説明】
【０００１】
【発明の属する技術分野】
本発明は、コンクリート部品を相互連結するための連結器と、この連結器を用いてコンクリート部品を相互連結することにより構成された連結構造体に関する。
【０００２】
【従来の技術】
水路や擁壁等のコンクリート構造物は、工場において製作されたコンクリート部品を現場に搬入し、これを現場において適宜連結することによって組み立てられている。
【０００３】
前記の連結には一般に溶接或いは連結器を用いた手法が用いられていることから、コンクリート部品には鋼材から成る連結ロッドがその端部がコンクリート部品の連結面近傍で露出するように設けられている。溶接によりコンクリート部品を相互連結するときには、コンクリート部品相互の連結面を組み合わせた状態で相対する連結ロッドの端部を溶接により結合する。
【０００４】
連結器を用いた連結手段の一例としては、特開昭６３−１１８４３３号公報に開示されたものがある。同公報に開示されている連結器は、一方のコンクリート部材から突出する鋼棒に設けられた雄ネジ付きカプラ−と、他方のコンクリート部材から突出する鋼棒に設けられた雌ネジ付きカプラ−とを有しており、両カプラ−を螺合する途中で各カプラ−をそれぞれが取付けられた鋼棒のヘッド部に係合させることにより両鋼棒に引き寄せ力を生じさせてコンクリート部品の連結を行う。
【０００５】
【発明が解決しようとする課題】
しかし、従来の溶接による連結手段及び方法では、相対する連結ロッドの軸線が僅かにずれているだけで溶接による結合品質にばらつきが生じると共に、環境条件や溶接作業者の能力によっても溶接による結合品質にばらつきが生じる不具合がある。また、連結部分に水密性や気密性を得るにはコンクリート部品の相互連結面に荷重を加えた状態で溶接を行う必要があるが、コンクリート部品の形状や連結向き等の関係から荷重を加えることが困難或いは不可能な場合には希望する水密性や気密性を有するコンクリート構造物を得ることができない。
【０００６】
また、前述の連結器によるものでは、カプラ−の移動を制限するためのヘッド部が鋼棒に一体成形されているため、コンクリート部品に鋼棒を埋設する際にカプラ−を鋼棒に予め装着しておく必要がある。つまり、コンクリート部品には鋼棒だけでなくカプラ−をも装着されているため、コンクリート部品を輸送するときや組み立てるときにカプラ−が邪魔になると共に、カプラ−及び鋼棒に変形や損傷を生じる場合がある。
【０００７】
この不具合を解消するには、前述のヘッド部をナットとし、鋼棒の先端にこのナットが螺合可能な雄ネジ部を形成して、ヘッド部を鋼棒に対して着脱自在とすれば、コンクリート部品に装着された鋼棒にカプラ−を適宜取付けることができる。しかしながら、このような構成を採用すると、両カプラ−を螺合するときにおいてカプラ−がナットに係合した後にナットがカプラ−と供回りして鋼棒におけるナットの適正な取付位置にズレを生じてしまう恐れがある。とりわけ、水路や擁壁等のコンクリート構造物にあっては隣接するコンクリート部品を高強度で連結する必要があることから、前記のような供回りが発生すると適正な引き寄せ力を鋼棒に生じさせることが難しくなり、結果として初期の連結強度が得られなくなってしまう。また、前述の供回りを防止するために両カプラ−を螺合する前工程で溶接や接着等の手法により予めナットを鋼棒に固着しておくことも考えられるが、現場における作業時間が増加するとともに固着のための設備が必要となりコストが嵩んでしまう。
【０００８】
本発明は前記事情に鑑みて創作されたもので、その目的とするところは、コンクリート部品の連結に所期の連結強度を確実に得ることができる連結器と、コンクリート部品が適正な強度状態で相互連結された連結構造体を提供することにある。
【０００９】
【課題を解決するための手段】
前記目的を達成するため、本発明の連結器は、連結ロッドがその先端の雄ねじ部が露出するように埋設されたコンクリート部品を相互連結するときに用いられる連結器であって、雄ねじ部を外面に有し、連結ロッドの雄ねじ部に螺合可能な雌ねじ穴を一端から他端に向けて有する雄カプラーと、雄カプラーの外面雄ねじ部に螺合可能な雌ねじ穴を一端から他端に向けて有し、連結ロッドの雄ねじ部が遊びをもって挿通可能な挿通孔を他端から雌ねじ穴に達するように有し、雌ねじ穴と挿通孔との境界部分に係止部を有する雌カプラーと、外面からその雌ねじ孔に達する孔を少なくとも１つ有し、雌カプラーをその挿通孔を通じて連結ロッドの雄ねじ部に外嵌した後に連結ロッドの雄ねじ部に螺合されて雌カプラーの移動を係止部との協働によって制限し得る制限ナットと、制限ナットを連結ロッドの雄ねじ部に螺合した後に制限ナットの孔に差し込まれて制限ナットを連結ロッドの雄ねじ部に固定するナット固定具とを備える、ことをその特徴とする。
【００１０】
この連結器によれば、一方のコンクリート部品の凹部内の雄ねじ部に雄カプラーの雌ねじ穴を螺合し、他方のコンクリート部品の凹部内の雄ねじ部に挿通孔を通じて雌カプラーを外嵌し外嵌後に雄ねじ部に螺合した制限ナットをナット固定具により適正位置に固定した後に、コンクリート部品相互の連結面を組み合わせた状態で雌カプラーを雄カプラーに螺合することによって、相対する連結ロッドに引き寄せ力を付与してコンクリート部品の相互連結を行う。制限ナットには外面からその雌ねじ孔に達する孔を少なくとも１つ形成されていて、制限ナットを連結ロッドの雄ねじ部に螺合した後に制限ナットの孔に差し込まれて制限ナットを連結ロッドの雄ねじ部に固定するナット固定具を備えているので、雄カプラ−と雌カプラ−とを螺合する過程において雌カプラ−の係止部が制限ナットに当接した後に雌カプラ−をさらに締め付けても、制限ナットは雌カプラ−と供回りすることはなく、制限ナットの螺合位置にズレを生じることもない。
【００１１】
一方、本発明の連結構造体は、連結面と連結面と隣接する面に開口を有する凹部と、先端の雄ねじ部が凹部内で露出するように部品内部に埋設された連結ロッドとを有するコンクリート部品と、コンクリート部品を連結面を介して組み合わせた状態で相対する連結ロッドに引き寄せ力を付与してコンクリート部品を相互連結する連結器とを備え、前記連結器は、雄ねじ部を外面に有し、連結ロッドの雄ねじ部に螺合可能な雌ねじ穴を一端から他端に向けて有する雄カプラーと、雄カプラーの外面雄ねじ部に螺合可能な雌ねじ穴を一端から他端に向けて有し、連結ロッドの雄ねじ部が遊びをもって挿通可能な挿通孔を他端から雌ねじ穴に達するように有し、雌ねじ穴と挿通孔との境界部分に係止部を有する雌カプラーと、外面からその雌ねじ孔に達する孔を少なくとも１つ有し、雌カプラーをその挿通孔を通じて連結ロッドの雄ねじ部に外嵌した後に連結ロッドの雄ねじ部に螺合されて雌カプラーの移動を係止部との協働によって制限し得る制限ナットと、制限ナットを連結ロッドの雄ねじ部に螺合した後に制限ナットの孔に差し込まれて制限ナットを連結ロッドの雄ねじ部に固定するナット固定具とから成り、この連結器の雄カプラーは一方のコンクリート部品の凹部内の雄ねじ部に雌ねじ穴を螺合することにより取り付けられ、雌カプラーは他方のコンクリート部品の凹部内の雄ねじ部にその挿通孔を通じて外嵌し外嵌後に雄ねじ部に制限ナットを螺合することにより取り付けられ、制限ナットはナット固定具により雄ねじ部に固定されていて、コンクリート部品相互の連結面を組み合わせた状態で雌カプラーを雄カプラーに螺合することによって相対する連結ロッドに引き寄せ力を付与してコンクリート部品を相互連結している、ことをその特徴とする。
【００１２】
この連結構造体によれば、一方のコンクリート部品の凹部内の雄ねじ部に雄カプラーの雌ねじ穴を螺合し、他方のコンクリート部品の凹部内の雄ねじ部に挿通孔を通じて雌カプラーを外嵌し外嵌後に雄ねじ部に螺合した制限ナットをナット固定具により適正位置に固定した後に、コンクリート部品相互の連結面を組み合わせた状態で雌カプラーを雄カプラーに螺合することによって、相対する連結ロッドに引き寄せ力を付与してコンクリート部品が適正な強度状態で相互連結されている。
【００１３】
本発明の前記目的とそれ以外の目的と、構成特徴と、作用効果は、以下の説明と添付図面によって明らかとなる。
【００１４】
【発明の実施の形態】
図１〜図７は本発明の一実施形態を示す。図１中のＰＣ１は第１コンクリート部品、ＰＣ２は第２コンクリート部品、１は雄カプラー、２は雌カプラー、３は制限ナット、４は止めねじである。
【００１５】
第１，第２コンクリート部品ＰＣ１，ＰＣ２は水路や擁壁等のコンクリート構造物を構築するためのプレキャストコンクリート部品である。また、雄カプラー１，雌カプラー２，制限ナット３及び止めねじ４によって、第１コンクリート部品ＰＣ１と第２コンクリート部品ＰＣ２とを相互連結するための連結器が構成されている。
【００１６】
第１コンクリート部品ＰＣ１には、連結面ＰＣ１ａと連結面ＰＣ１ａと隣接する面に開口を有する凹部ＦＰ１が、連結面ＰＣ１ａに沿って１乃至複数個形成されている。第１コンクリート部品ＰＣ１が大型の場合には、連結面ＰＣ１ａと隣接する２つの対向面それぞれに凹部ＦＰ１を設けるようにしても構わない。また、第１コンクリート部品ＰＣ１の内部には、先端に雄ねじ部ＥＴ１を有する鋼材製の連結ロッドＣＲ１が凹部ＦＰ１の数に相当する数埋設されており、連結ロッドＣＲ１の雄ねじ部ＥＴ１は凹部ＦＰ１内で露出している。図面には、第１コンクリート部品ＰＣ１との密着力を高めて連結ロッドＣＲ１の引っ張り強度を高めるために表面に凸部または凹部が形成されたものを連結ロッドＣＲ１として示してあるが、凸部または凹部を表面に有しないものを連結ロッドＣＲ１として用いても構わない。また、連結ロッドＣＲ１は第１コンクリート部品ＰＣ１の内部に埋設された鉄筋に溶接やワイヤー結線等によって結合されていてもよい。さらに、内部鉄筋の主筋として先端に雄ねじ部を有する長めのものを用い、この主筋の雄ねじ部を凹部ＦＰ１内で露出させることで連結ロッドＣＲ１の代わりとしてもよい。
【００１７】
第２コンクリート部品ＰＣ２には、連結面ＰＣ２ａと連結面ＰＣ２ａと隣接する面に開口を有する凹部ＦＰ２が、連結面ＰＣ２ａに沿って１乃至複数個形成されている。第２コンクリート部品ＰＣ２が大型の場合には、連結面ＰＣ２ａと隣接する２つの対向面それぞれに凹部ＦＰ２を設けるようにしても構わない。この凹部ＦＰ２の大きさ及び位置は第１コンクリート部品ＣＰ１の凹部ＦＰ１の大きさ及び位置とほぼ一致している。また、第１コンクリート部品ＰＣ２の内部には、先端に雄ねじ部ＥＴ２を有する鋼材製の連結ロッドＣＲ２が凹部ＦＰ２の数に相当する数埋設されており、連結ロッドＣＲ２の雄ねじ部ＥＴ２は凹部ＦＰ２内で露出している。図面には、第２コンクリート部品ＰＣ２との密着力を高めて連結ロッドＣＲ２の引っ張り強度を高めるために表面に凸部または凹部が形成されたものを連結ロッドＣＲ２として示してあるが、凸部または凹部を表面に有しないものを連結ロッドＣＲ２として用いても構わない。また、連結ロッドＣＲ２は第２コンクリート部品ＰＣ２の内部に埋設された鉄筋に溶接やワイヤー結線等によって結合されていてもよい。さらに、内部鉄筋の主筋として先端に雄ねじ部を有する長めのものを用い、この主筋の雄ねじ部を凹部ＦＰ２内で露出させることで連結ロッドＣＲ２の代わりとしてもよい。
【００１８】
雄カプラー１は全体が略円柱状で、その外面には、雄ねじ部１ａが上端から下端に向かって形成されている。また、雄カプラー１の下端面中央には、連結ロッドＣＲ１の雄ねじ部ＥＴ１に螺合可能な雌ねじ穴１ｂが下端から上端に向かって形成されている。さらに、雄カプラー１の上面には、第２コンクリート部品ＰＣ２の連結ロッドＣＲ２がぶつかることを回避するための窪み１ｃが形成されている。さらに、雄カプラー１の外面の雄ねじ部１ａ下側には、環状の鍔部１ｄと、工具係合部１ｅが形成されている。図面には、雄カプラー１の下端面周囲に等角度間隔で並ぶ複数の凹部から構成されたものを工具係合部１ｅとして示してあるが、６角形部分や４角形部分等を工具係合部１ｅとしてもよい。
【００１９】
雌カプラー２は全体が略円柱状で、その下端面中央には、雄カプラー１の雄ねじ部１ａが螺合可能な雌ねじ穴２ａが下端から上端に向かって形成されている。図面には、雌ねじ穴２ａとしてその上部に非ねじ部分を有するものを示してあるが、全体に雌ねじが刻設されていても構わない。また、雌カプラー２の上端中央には、連結ロッドＣＲ２の雄ねじ部ＥＴ２が遊びをもって挿通可能な挿通孔２ｂが上端から雌ねじ穴２ａに達するように形成されている。この挿通孔２ｂの径は、連結ロッドＣＲ２の雄ねじ部ＥＴ２の径よりも大きく、且つ、制限ナット３の径よりも小さい。さらに、雌カプラー２の雌ねじ穴２ａと挿通孔２ｂとの境界部分には、環状面によって構成された係止部２ｃが形成されている。さらに、雌カプラー２には、外面から雌ねじ穴２ａに達する貫通孔２ｄが１個または周方向に間隔をおいて複数個形成されている。この貫通孔２ｄは止めねじ４を制限ナット３の雌ねじ孔３ａにねじ込むための工具を外部から挿入するためのもので、その形状は円形以外の楕円形や多角形であってもよいし、その大きさはねじ込み工具が挿入できる最小限のもので十分である。貫通孔２ｄの数は１個であっても構わないが、雄カプラー１に対する雌カプラー２の螺合が完了した状態における雌カプラー２の向きによっては後述する硬化材注入作業を行えなくなる恐れがあるので、貫通孔２ｄは２個以上設けることが好ましい。さらに、雌カプラー２の外部上端には、工具係合部２ｅが形成されている。図面には、雌カプラー２の上端面周囲に等角度間隔で並ぶ複数の凹部から構成されたものを工具係合部２ｅとして示してあるが、６角形部分や４角形部分等を工具係合部２ｅとしてもよい。
【００２０】
制限ナット３は６角ナットから成り、その径は、雌カプラー２の雌ねじ穴２ａの径よりも小さく、且つ、挿通孔２ｂの径よりも大きい。また、制限ナット３には、外面からその雌ねじ孔（符号無し）に達する雌ねじ孔３ａが形成されている。この雌ねじ孔３ａの形成位置は任意であり、図２Ａに示す角部や図２Ｂに示す平面部に形成してもよい。雌ねじ孔３ａの数は１個であっても構わないが、雄ねじ部ＥＴ２に螺合された制限ナット３の向きによっては後述するねじ込み工具による止めねじ４のねじ込み作業が行えなくなる恐れがあるので、雌ねじ孔３ａは図２Ａと図２Ｂに示すように２個設けるか図２Ｃ及び図２Ｄに示すように３個設けることが好ましい。勿論、制限ナット３には４個以上の雌ねじ孔３ａを設けるようにしてもよい。
【００２１】
止めねじ４は全体が円柱状で、その外面には、制限ナット３の雌ねじ孔３ａに螺合可能な雄ねじ部（符号無し）が形成されている。また、止めねじ４の一端部には、マイナス溝やプラス溝や６角凹部等から成る工具係合部（符号無し）が形成されている。
【００２２】
前記の雄カプラー１は第１，第２コンクリート部品ＰＣ１，ＰＣ２の一方の連結ロッドの露出部分（雄ねじ部）に取り付けられ、雌カプラー２は第１，第２コンクリート部品ＰＣ１，ＰＣ２の他方の連結ロッドの露出部分（雄ねじ部）に取り付けられる。
【００２３】
図３に示すように第１コンクリート部品ＰＣ１の連結ロッドＣＲ１に雄カプラー１を取り付ける場合には、連結ロッドＣＲ１の雄ねじ部ＥＴ１にロックナットＲＮを螺合して最深部に位置させ、次に、雄ねじ部ＥＴ１に雄カプラー１の雌ねじ穴１ｂを螺合する。
【００２４】
また、図４に示すように第２コンクリート部品ＰＣ２の連結ロッドＰＣ２に雌カプラー２を取り付ける場合には、連結ロッドＰＣ２の雄ねじ部ＥＴ２にロックナットＲＮを螺合して最深部に位置させ、次に、雄ねじ部ＥＴ２に雌カプラー２を挿通孔２ｂを通じて外嵌する。次に、雌カプラー２を持ち上げた状態で、止めねじ４を仮止めした制限ナット３を雄ねじ部ＥＴ２に螺合する。雄ねじ部ＥＴ２に制限ナット３を螺合するときには、制限ナット３に仮止めされている止めねじ４が外側（図４中左側）に向くようにする。
【００２５】
そして、図５に示すように、雌カプラー２を図４の位置よりも下げ、必要に応じて雌カプラー２を回して、雌カプラー２の貫通孔２ｄを制限ナット３に仮止めされている止めねじ４と位置合わせする。次に、止めねじ４の工具係合部に適合したねじ込み工具を雌カプラー２の外側から貫通孔２ｄに挿入し、挿入されたねじ込み工具によって止めねじ４を強くねじ込んで制限ナット３を雄ねじ部ＥＴ２に固定する。
【００２６】
第１コンクリート部品ＰＣ１と第２コンクリート部品ＰＣ２とを相互連結するときには、図６に示すように、第１コンクリート部品ＰＣ１の連結面ＰＣ１ａと第２コンクリート部品ＰＣ２の連結面ＰＣ２ａを図示省略のパッキンを介して組み合わせる。第１コンクリート部品ＰＣ１の凹部ＦＰ１と第２コンクリート部品ＰＣ２の凹部ＦＰ１との位置はほぼ一致しているため、互いの連結面ＰＣ１ａとＰＣ２ａを組み合わせた状態では、凹部ＦＰ１内で露出する雄ねじ部ＥＴ１の軸線ＣＬ１と凹部ＦＰ２内で露出する雄ねじ部ＥＴ２の軸線ＣＬ２とはほぼ一直線となる。
【００２７】
次に、雄カプラー１を指先で保持した状態で、雌カプラー２を指先で回してその雌ねじ穴２ａを雄カプラー１の雄ねじ部１ａに螺合する。指先による螺合が困難になったところで、雄カプラー１の工具係合部１ｅにこれに適合した締付工具を係合して保持した状態で、雌カプラー１の工具係合部２ｅにこれに適合した締付工具を係合して雄カプラー１に対する雌カプラー２の螺合を継続する。
【００２８】
これにより、雄カプラー１を通じて第１コンクリート部品ＰＣ１の連結ロッドＣＲ１に太線矢印で示す引き寄せ力が付与されると共に、雌カプラー２及び係止部２ｃに係合した制限ナット３を通じて第２コンクリート部品ＰＣ２の連結ロッドＣＲ２に太線矢印で示す引き寄せ力が付与され、第１コンクリート部品ＰＣ１の連結面ＰＣ１ａと第２コンクリート部品ＰＣ２の連結面ＰＣ２ａとがパッキンを介して圧接し、同圧接状態のまま第１コンクリート部品ＰＣ１と第２コンクリート部品ＰＣ２とが連結される。
【００２９】
雌カプラー２の挿通孔２ｂとこの挿通孔２ｂに挿入された雄ねじ部ＥＴ２との間には環状の隙間（遊び）が存在し、この遊びによって雌カプラー２の位置を雄ねじ部ＥＴ２の軸線ＣＬ２と直交する方向に微調整できるので、第１コンクリート部品ＰＣ１と第２コンクリート部品ＰＣ２を組み合わせた状態で雄ねじ部ＥＴ１の軸線ＣＬ１と雄ねじ部ＥＴ２の軸線ＣＬ２とにずれがある場合でも、前記の遊びを利用して雄カプラー１に対する雌カプラー２の螺合を適切に行える。
【００３０】
また、螺合時における雌カプラー２の移動量を係止部２ｃが制限ナット３に接することで制限するようにし、しかも、この制限ナット３を止めねじ４によって連結ロッドＣＲ２の雄ねじ部ＥＴ２に固定してあるので、雌カプラー２を雄カプラー１に螺合するときに制限ナット３の螺合位置が供回り等の影響でずれることを確実に防止して、先に述べた雄カプラー１に対する雌カプラー２の螺合による第１コンクリート部品ＰＣ１と第２コンクリート部品ＰＣ２との相互連結を的確に行える。
【００３１】
雄カプラー１に対する雌カプラー２の螺合作業が完了した後は、雄カプラー１側のロックナットＲＮをレンチ等の締付工具を用いて締め上げて雄カプラー１に圧接させると共に、雌カプラー２側のロックナットＲＮをレンチ等の締付工具を用いて締め上げて雌カプラー２に圧接させる。この後は、雌カプラー２の貫通孔２ｄから連結器内の空間にエポキシ樹脂系等の硬化材を注入し、そして、互いに連続した凹部ＦＰ１内と凹部ＦＰ２内にモルタル等の硬化材を充填する。以上で、第１コンクリート部品ＰＣ１と第２コンクリート部品ＰＣ２とが相互連結され、同作業を繰り返すことで水路や擁壁等のコンクリート構築物が構築される。
【００３２】
このように、前述の実施形態によれば、雄カプラー１を第１コンクリート部品ＰＣ１の連結ロッドＰＣ１に取り付けると共に、雌カプラー２を第２コンクリートＰＣ２の連結ロッドＰＣ２に取り付けておけば、第１コンクリート部品ＰＣ１の連結面ＰＣ１ａと第２コンクリート部品ＰＣ２の連結面ＰＣ２ａを組み合わせた後に、雌カプラー２を雄カプラー１に螺合するだけの簡単な作業で第１コンクリート部品ＰＣ１と第２コンクリート部品ＰＣ２との相互連結を良好に行うことできる。
【００３３】
また、第１コンクリート部品ＰＣ１と第２コンクリート部品ＰＣ２とを連結するときに相互連結面に荷重を加えておく必要がないので、コンクリート部品の形状や連結向き等の関係から荷重を加えることが困難或いは不可能な場合でも希望する水密性や気密性を有するコンクリート構造物を確実に得ることができる。
【００３４】
さらに、第１コンクリート部品ＰＣ１と第２コンクリート部品ＰＣ２を組み合わせた状態で雄ねじ部ＥＴ１の軸線ＣＬ１と雄ねじ部ＥＴ２の軸線ＣＬ２とにずれがある場合でも、雌カプラー２の挿通孔２ｂとこの挿通孔２ｂに挿入された雄ねじ部ＥＴ２との間に存する遊びを利用して雌カプラー２の位置を微調整して、雄カプラー１に対する雌カプラー２の螺合を適切に行うことができる。
【００３５】
さらに、螺合時における雌カプラー２の移動量を係止部２ｃが制限ナット３に接することで制限するようにし、しかも、この制限ナット３を止めねじ４によって連結ロッドＣＲ２の雄ねじ部ＥＴ２に固定してあるので、雌カプラー２を雄カプラー１に螺合するときに制限ナット３の螺合位置が供回り等の影響でずれることを確実に防止して、先に述べた雄カプラー１に対する雌カプラー２の螺合による第１コンクリート部品ＰＣ１と第２コンクリート部品ＰＣ２との相互連結を的確に行うことができる。
【００３６】
さらに、止めねじ４用のねじ込み工具を挿入するための貫通孔２ｄを雌カプラー２に設けることにより、止めねじ４を雌ねじ孔３ａにねじ込んで制限ナット３を雄ねじ部ＥＴ２に固定する作業を雌カプラー２の外側から行うことができる。つまり、雄ねじ部ＥＴ２に螺合した制限ナット３が雌カプラー２の内側に隠れてしまう場合でも止めねじ４のねじ込み作業を的確に行って制限ナット３を雄ねじ部ＥＴ２に固定するができるので、凹部ＦＰ２内で露出する雄ねじ部ＥＴ２の長さを短くして凹部ＦＰ２の大きさを小さくすることが可能で、これにより凹部ＦＰ２の大きさに依存する第２コンクリート部品ＰＣ２の強度低下を防止することができる。
【００３７】
尚、前述の実施形態では、制限ナット３に雌ねじ孔３ａを形成しこの雌ねじ孔３ａに止めねじ４をねじ込むことにより制限ナット３を雄ねじ部ＥＴ２に固定するものを示したが、図８に示すように、制限ナット３に外面からその雌ねじ孔に達する貫通孔３ｂを雌ねじ孔３ａと同様に少なくとも１個形成し、この貫通孔３ｂに圧入可能な圧入ピン５を止めねじ４の代わりに用いても制限ナット３を雄ねじ部ＥＴ２に固定することができる。この場合には、圧入ピン５を仮止めした制限ナット３を雄ねじ部ＥＴ２に螺合し、雌カプラー２の貫通孔２ｄと制限ナット３に仮止めされている圧入ピン５との位置合わせを行った後に、圧入工具を雌カプラー２の外側から貫通孔２ｄに挿入し、挿入された圧入工具をハンマー等により殴打して圧入ピン５を強く押し込んで制限ナット３を雄ねじ部ＥＴ２に固定すればよい。
【００３８】
また、前述の実施形態では、雌カプラー２を雄ねじ部ＥＴ２に外嵌した後に止めねじ４または圧入ピン５を仮止めした制限ナット３を雄ねじ部ＥＴ２に螺合するものを示したが、止めねじ４または圧入ピン５が仮止めされていない制限ナット３を雄ねじ部ＥＴ２に螺合した後に、止めねじ４または圧入ピン５を挿入可能な大きさを有する貫通孔２ｄを通じて雌カプラー２の外側から止めねじ４または圧入ピン５を制限ナット３の雌ねじ孔３ａまたは貫通孔３ｂに差し込むようにしてもよい。
【００３９】
さらに、前述の実施形態では、貫通孔２ｄを雌カプラー２に形成したものを示したが、雄ねじ部ＥＴ２に雌カプラー２を外嵌した状態で雌カプラー２から雄ねじ部ＥＴ２の端部が突出可能で、しかも、この突出部分に螺合された制限ナット３の雌ねじ孔３ａまたは貫通孔３ｂに外部から直接止めねじ４または圧入ピン５を取り付けることができる場合には、前記貫通孔２ｄは必ずしも必要なものではない。
【００４０】
【発明の効果】
以上詳述したように、本発明によれば、コンクリート部品の連結に所期の連結強度を確実に得ることができる連結器と、コンクリート部品が適正な強度状態で相互連結された連結構造体を提供できる。
【図面の簡単な説明】
【図１】本発明の一実施形態を示す連結構造体の分解図
【図２】図１に示した制限ナットとその変形例を示す図
【図３】雄カプラーの取付方法の説明図
【図４】雌カプラーの取付方法の説明図
【図５】雌カプラーの取付方法の説明図
【図６】コンクリート部品の連結方法の説明図
【図７】図５のＡ−Ａ線断面図
【図８】制限ナット及びナット固定具の他の例を示す図
【符号の説明】
ＰＣ１…第１コンクリート部品、ＰＣ１ａ…連結面、ＦＰ１…凹部、ＣＲ１…連結ロッド、ＰＣ２…第１コンクリート部品、ＰＣ２ａ…連結面、ＦＰ２…凹部、ＣＲ２…連結ロッド、１…雄カプラー、１ａ…雄ねじ部、１ｂ…雌ねじ穴、２雌カプラー、２ａ…雌ねじ穴、２ｂ…挿通孔、２ｃ…係止部、２ｄ…貫通孔、３…制限ナット、３ａ…雌ねじ孔、３ｂ…貫通孔、４…止めねじ、５…圧入ピン。
【図１】
2004036276.tif 000003
【図２】
2004036276.tif 000004
【図３】
2004036276.tif 000005
【図４】
2004036276.tif 000006
【図５】
2004036276.tif 000007
【図６】
2004036276.tif 000008
【図７】
2004036276.tif 000009
【図８】
2004036276.tif 000010